(57)【要約】 【課題】  設備コストの低減を図る。【解決手段】  ハウジングの大きさに合わせた位置決め部を有するパレットを用いてハウジングを送るようにした場合には、ハウジングの大きさが異なったときにパレットを変更する必要があるが、本発明では、ハウジング２０，３０の下面に形成した摺接面２７Ｆ，２７Ｒ，３７Ｆ，３７Ｒを圧接装置のレール５０Ｆ，５０Ｒに摺接させつつ、ハウジング２０，３０を端子金具４０の並列方向に移動させるようにしたので、ハウジング２０，３０の大きさが異なってもレール５０Ｆ，５０Ｒを変更する必要がなく、パレットを用いる場合に比べて設備コストを低減することができる。【選択図】  図６
2005158444.tif 000002
【特許請求の範囲】
【請求項１】
ハウジングに複数の端子金具を上面側に開放させる形態で並列させたものであって、前記端子金具の並列方向と同方向に延びるレールが設けられている圧接装置において、前記ハウジングを前記端子金具の並列方向と同方向に移動させつつ、前記端子金具に対して上面側から電線が圧接されるようになっている圧接コネクタであって、
前記ハウジングの下面に、前記端子金具の並列方向に沿った摺接面が形成され、
前記摺接面を前記レールに摺接させることで、前記ハウジングが前記端子金具の並列方向へスライドすることを可能とされていることを特徴とする圧接コネクタ。
【請求項２】
前記レール上で２つの前記ハウジングがその外壁同士を当接させて並んだ状態において、双方のハウジングの外壁を挟んで隣り合う２つの前記端子金具間のピッチが、各ハウジングにおける前記端子金具の並列ピッチと同一寸法又は並列ピッチの整数倍の寸法とされていることを特徴とする請求項１記載の圧接コネクタ。
【請求項３】
前記外壁に、圧接治具に前記端子金具と同一ピッチで形成されている押し込み突起との干渉を回避可能な凹部が形成されていることを特徴とする請求項２記載の圧接コネクタ。
【請求項４】
前記ハウジングの下面における前記レールと非対応の領域には、リブ状の補強部が突出して形成されていることを特徴とする請求項１ないし請求項３のいずれかに記載の圧接コネクタ。
【請求項５】
複数の端子金具を上面側に開放させた状態で並列させたハウジングを前記端子金具の並列方向と同方向に移動させつつ、前記端子金具に対して上面側から電線を圧接するようにした圧接装置であって、
前記ハウジングの下面に、前記端子金具の並列方向と同方向に沿った摺接面を形成した上で、
前記摺接面を摺接させつつ前記ハウジングを前記端子金具の並列方向に移動させることを可能とするレールが設けられていることを特徴とする圧接装置。
【請求項６】
圧接装置において複数の端子金具を上面側に開放させた状態で並列させたハウジングを前記端子金具の並列方向と同方向に移動させつつ、前記端子金具に対して上面側から電線を圧接する圧接方法であって、
前記ハウジングの下面に、端子金具の並列方向と同方向に沿った摺接面を形成するとともに、前記圧接装置に、前記端子金具の並列方向に沿ったレールを設ける構造とした上で、
前記摺接面を前記レールに摺接させつつ前記ハウジングを前記端子金具の並列方向に移動させることを特徴とする圧接方法。
【発明の詳細な説明】
【技術分野】
【０００１】
本発明は、圧接コネクタ、圧接装置及び圧接方法に関するものである。
【背景技術】
【０００２】
圧接コネクタにおいてハウジング内に並列して収容されている端子金具に対して電線を圧接する手段として、従来、端子金具の並列方向と同方向に間欠移動するパレットを設け、このパレットの上面に形成した凹部にハウジングを収容することでそのハウジングを位置決めし、ハウジングを所定の位置に停止させた状態でハウジング内の複数の端子金具に電線を一斉に圧接するようにしたものがある。尚、圧接装置の一例としては、特許文献１に開示されているもの等が知られている。
【特許文献１】特開平９−２８３２５４号公報
【発明の開示】
【発明が解決しようとする課題】
【０００３】
ハウジングに収容される端子金具の数やピッチが異なった場合には、ハウジングの大きさも異なる。ところが、上記従来の圧接手段では、ハウジングを位置決め用に凹部にセットするようになっていたため、ハウジングの大きさが異なると、それに合わせてパレットも変更する必要があり、設備コストが高くつくという問題があった。
【０００４】
本発明は上記のような事情に基づいて完成されたものであって、設備コストの低減を図ることを目的とする。
【課題を解決するための手段】
【０００５】
上記の目的を達成するための手段として、請求項１の発明は、ハウジングに複数の端子金具を上面側に開放させる形態で並列させたものであって、前記端子金具の並列方向と同方向に延びるレールが設けられている圧接装置において、前記ハウジングを前記端子金具の並列方向と同方向に移動させつつ、前記端子金具に対して上面側から電線が圧接されるようになっている圧接コネクタであって、前記ハウジングの下面に、前記端子金具の並列方向に沿った摺接面が形成され、前記摺接面を前記レールに摺接させることで、前記ハウジングが前記端子金具の並列方向へスライドすることを可能とされているところに特徴を有する。
【０００６】
請求項２の発明は、請求項１に記載のものにおいて、前記レール上で２つの前記ハウジングがその外壁同士を当接させて並んだ状態において、双方のハウジングの外壁を挟んで隣り合う２つの前記端子金具間のピッチが、各ハウジングにおける前記端子金具の並列ピッチと同一寸法又は並列ピッチの整数倍の寸法とされているところに特徴を有する。
【０００７】
請求項３の発明は、請求項２に記載のものにおいて、前記外壁に、圧接治具に前記端子金具と同一ピッチで形成されている押し込み突起との干渉を回避可能な凹部が形成されているところに特徴を有する。
【０００８】
請求項４の発明は、請求項１ないし請求項３のいずれかに記載のものにおいて、前記ハウジングの下面における前記レールと非対応の領域には、リブ状の補強部が突出して形成されているところに特徴を有する。
【０００９】
請求項５の発明は、複数の端子金具を上面側に開放させた状態で並列させたハウジングを前記端子金具の並列方向と同方向に移動させつつ、前記端子金具に対して上面側から電線を圧接するようにした圧接装置であって、前記ハウジングの下面に、前記端子金具の並列方向と同方向に沿った摺接面を形成した上で、前記摺接面を摺接させつつ前記ハウジングを前記端子金具の並列方向に移動させることを可能とするレールが設けられているところに特徴を有する。
【００１０】
請求項６の発明は、圧接装置において複数の端子金具を上面側に開放させた状態で並列させたハウジングを前記端子金具の並列方向と同方向に移動させつつ、前記端子金具に対して上面側から電線を圧接する圧接方法であって、前記ハウジングの下面に、端子金具の並列方向と同方向に沿った摺接面を形成するとともに、前記圧接装置に、前記端子金具の並列方向に沿ったレールを設ける構造とした上で、前記摺接面を前記レールに摺接させつつ前記ハウジングを前記端子金具の並列方向に移動させるところに特徴を有する。
【発明の効果】
【００１１】
＜請求項１、請求項５及び請求項６の発明＞
ハウジングの大きさに合わせた位置決め部を有するパレットを用いてハウジングを送るようにした場合には、ハウジングの大きさが異なったときにパレットを変更する必要があるが、本発明では、ハウジングをレール上でスライドさせるようにしたので、ハウジングの大きさが異なってもレールを変更する必要がなく、パレットを用いる場合に比べて設備コストを低減することができる。
【００１２】
＜請求項２の発明＞
１つの圧接治具を用いて複数の端子金具に対して一斉に圧接を行う場合に、圧接治具が２つのハウジングの間に跨った状態でも圧接が可能となるので、１つの圧接治具による圧接数と１つのハウジングにおける端子金具の並列数が一致しなくても、複数のハウジングを連続的に連ねた状態で効率良く圧接を行うことができる。
【００１３】
＜請求項３の発明＞
外壁に凹部を形成したことにより、外壁の厚さ（幅）を大きくし、外壁の強度を高めることができる。
【００１４】
＜請求項４の発明＞
ハウジングには補強部が形成されているので、ハウジングが薄板状をなす場合でも、レールによるスライド動作に支障を来たすことなく、ハウジングの強度を高めることができる。
【発明を実施するための最良の形態】
【００１５】
＜実施形態１＞
以下、本発明を具体化した実施形態１を図１乃至図１０を参照して説明する。本実施形態の圧接コネクタＣは、コネクタハウジングＨに複数の端子金具４０を収容し、後述する圧接装置によって各端子金具４０に電線４２を圧接したものである。コネクタハウジングＨは、合成樹脂製のカバー１０と、同じく合成樹脂製の上段ハウジング２０（本発明の構成要件であるハウジング）と、合成樹脂製の下段ハウジング３０（本発明の構成要件であるハウジング）とを上から順に重ねた状態で組み付けられて構成されている。
【００１６】
カバー１０は、全体として左右方向（幅方向）に長く水平な方形平板状をなす。カバー１０の下面には、前後方向に細長い複数の上段用押さえ突起１１が、左右対称な２群に分かれるとともに各群毎に一定のピッチで並列する形態で形成されている。これらの上段用押さえ突起１１は、前後方向において上段ハウジング２０の端子金具４０の前端部と対応する領域に配されている。２群の上段用押さえ突起１１の間には、図示しない相手側コネクタに係合することでその相手側コネクタと圧接コネクタＣとを嵌合状態にロックするためのロックアーム１２が設けられている。
【００１７】
カバー１０の左右両側縁には、その後端領域から下方へ略直角に板状に延出する保持片１３が形成され、これらの保持片１３の内面には、上段ハウジング２０及び下段ハウジング３０に係合される上下２つの保持溝１４，１５が形成されている。カバー１０の左右両側縁における略前半領域には、下方へ前後方向に細長いリブ状に突出する第１位置決め突起１６が形成されている。
【００１８】
また、カバー１０の上面には、その後端縁に沿って左右方向に延びるリブ状の補強部１７ａと、左右両側縁に沿って前後方向に延びるリブ状の補強部１７ｂと、この前後方向の補強部１７ｂとロックアーム１２との間において前後方向に延びるリブ状の補強部１７ｃとが形成されており、これらの補強部１７ａ，１７ｂ，１７ｃによってカバー１０の湾曲変形が規制又は抑制されている。
【００１９】
上段ハウジング２０は、カバー１０と同様に、全体として左右方向（幅方向）に長く水平な方形平板状をなす。上段ハウジング２０の上面には、前後方向に細長い複数の上段キャビティ２１が左右対称な２群に分かれるとともに各群毎に一定のピッチ（カバー１０の上段用押さえ突起１１と同一ピッチ）で並列する形態で形成されている。左右方向において、カバー１０の上段用押さえ突起１１と上段ハウジング２０の上段キャビティ２１とは対応しており、カバー１０の下面側に上段ハウジング２０を組み付けた状態では、カバー１０の上段用押さえ突起１１が上段ハウジング２０の上段キャビティ２１の内部に入り込み、端子金具４０の浮き上がりを規制するようになっている。各上段キャビティ２１の前面壁２１ａには、相手側コネクタの雄タブ（図示せず）を挿入させるためのタブ挿入口２１ｂが貫通して形成され、各上段キャビティ２１の後端部には、圧接済みの電線４２が上方へ離脱するのを規制する手段として、上段キャビティ２１間を仕切る隔壁及び上段ハウジング２０の左右両外壁２２から内側へ突出させた係止突起２１ｃが形成されている。
【００２０】
上段ハウジング２０の左右両外壁２２には、その後端部領域から外側方へ突出する上段保持突起２３が形成されており、上段ハウジング２０をカバー１０の下面側に組み付けた状態では、上段保持突起２３がカバー１０の上側の保持溝１４に嵌合することで、カバー１０と上段ハウジング２０の上下方向への離脱が規制されるようになっている。
【００２１】
左右両外壁２２における略前半領域には、上面側を切欠した形態の上段凹部２４が形成されている。この上段凹部２４は、前後方向に長く且つ外壁２２の外側面に開放された形態であって、カバー１０と上段ハウジング２０を組み付けた状態においては、カバー１０の第１位置決め突起１６が上段凹部２４に嵌合されることで、カバー１０と上段ハウジング２０の前後方向における位置ずれが規制されるようになっている。同じく、外壁２２における略前半領域には、その下面から下方へ前後方向に細長いリブ状に突出する第２位置決め突起２５が形成されている。
【００２２】
上段ハウジング２０の下面には、前後方向に細長い複数の下段用押さえ突起２６が、左右方向（幅方向）に一定ピッチで並列する形態で形成されている。端子金具４０の並列方向（左右方向）において、カバー１０の上段用押さえ突起１１と上段ハウジング２０の上段キャビティ２１は、全て、上段ハウジング２０の下段用押さえ突起２６と対応するように配置されている。
【００２３】
また、上段ハウジング２０の下面における前端縁に沿った領域と略後半領域（上段キャビティ２１内の端子金具４０における圧接刃４１と対応する領域）は、左右方向（端子金具４０の並列方向）に沿って平面状に連続して延び、且つ上段ハウジング２０の左右両外側面に臨む前後一対の上段摺接面２７Ｆ，２７Ｒとなっている。前後方向において、前後一対の上段摺接面２７Ｆ，２７Ｒの間には第２位置決め突起２５と下段用押さえ突起２６が位置している。
【００２４】
下段ハウジング３０は、上段ハウジング２０と同様に、全体として左右方向（幅方向）に長く水平な方形平板状をなす。下段ハウジング３０の上面には、前後方向に細長い複数の下段キャビティ３１が左右方向に一定のピッチで並列する形態で形成されている。左右方向において、上段ハウジング２０の下段用押さえ突起２６と下段ハウジング３０の下段キャビティ３１とは対応しており、上段ハウジング２０の下面側に下段ハウジング３０を組み付けた状態では、上段ハウジング２０の下段用押さえ突起２６が下段キャビティ３１の内部に入り込み、端子金具４０の前端部の浮き上がりを規制するようになっている。各下段キャビティ３１の前面壁３１ａには、相手側コネクタの雄タブ（図示せず）を挿入させるためのタブ挿入口３１ｂが貫通して形成され、各下段キャビティ３１の後端部には、圧接済みの電線４２が上方へ離脱するのを規制する手段として、下段キャビティ３１間を仕切る隔壁及び下段ハウジング３０の左右両外壁３２から内側へ突出させた係止突起３１ｃが形成されている。
【００２５】
下段ハウジング３０の左右両外壁３２には、その後端部領域から外側方へ突出する下段保持突起３３が形成されており、カバー１０の下面に組み付けられた上段ハウジング２０の下面側に下段ハウジング３０を組み付けた状態では、下段保持突起３３がカバー１０の下側の保持溝１５に嵌合することで、カバー１０と上段ハウジング２０と下段ハウジング３０の上下方向への離脱が規制されるようになっている。
【００２６】
下段ハウジング３０の左右両外壁３２における略前半領域には、上面側を切欠した形態の下段凹部３４が形成されている。この下段凹部３４は、前後方向に長く且つ外壁３２の外側面に開放された形態であって、上段ハウジング２０の下面側に下段ハウジング３０を組み付けた状態においては、上段ハウジング２０の第２位置決め突起２５が下段凹部３４に嵌合されることで、上段ハウジング２０と下段ハウジング３０の前後方向における位置ずれが規制されるようになっている。同じく外壁３２における略前半領域には、その下面から下方へ前後方向に細長いリブ状に突出する第３位置決め突起３５が形成されている。
【００２７】
また、下段ハウジング３０の下面における前端縁に沿った領域と略後半領域（下段キャビティ３１内の端子金具４０における圧接刃４１と対応する領域）は、左右方向（端子金具４０の並列方向）に沿って平面状に連続して延び、且つ下段ハウジング３０の左右両外側面に臨む前後一対の下段摺接面３７Ｆ，３７Ｒとなっている。前後方向において、前後一対の下段摺接面３７Ｆ，３７Ｒの間には第３位置決め突起３５が位置している。さらに、下段ハウジング３０の下面には、その後端縁に沿って左右方向に延びるリブ状の補強部３８が、下段ハウジング３０の左右両端部を除く広い領域に亘って連続して形成されている。
【００２８】
上記した上段ハウジング２０の外壁２２と下段ハウジング３０の外壁３２の幅寸法については、上段ハウジング２０と下段ハウジング３０がその外壁２２，３２同士を当接させて左右に並んだ状態において、双方のハウジング２０，３０の外壁２２，３２を挟んで隣り合う上段ハウジング２０の右端に位置する端子金具４０と下段ハウジング３０の左端に位置する端子金具４０との間のピッチが、各ハウジング２０，３０におけるキャビティ２１，３１（端子金具４０）の並列ピッチの３倍の寸法とされている（図１０を参照）。尚、上段ハウジング２０と下段ハウジング３０の外壁２２，３２の幅寸法は、全て同一寸法である。
【００２９】
圧接装置は、前後一対の直線状に延びるレール５０Ｆ，５０Ｒと、このレール５０Ｆ，５０Ｒの上方に上下移動可能に配置された圧接治具５１とを備えている。図４及び図７に示すように、前側のレール５０Ｆの前後幅は前側の上段摺接面２７Ｆ及び前側の下段摺接面３７Ｆとほぼ同じ寸法であり、後側のレール５０Ｒの前後幅は後側の上段摺接面２７Ｒ及び後側の下段摺接面３７Ｒよりも狭くなっており、前側のレール５０Ｆの幅に比べると後側のレール５０Ｒの前後幅は大きくなっている。
【００３０】
圧接治具５１は、全体として肉厚の平板状をなし、圧接治具５１の下面には、前後方向に細長いリブ状をなす複数の押し込み突起５２が、左右方向（端子金具４０の並列方向であり、且つレール５０Ｆ，５０Ｒによる上段ハウジング２０及び下段ハウジング３０の移動方向）に一定ピッチで並列する配置で下方へ突出して形成されている。この押し込み突起５２の並列ピッチは、上段キャビティ２１及び下段キャビティ３１の並列ピッチと同じであり、また、押し込み突起５２の左右幅はキャビティの開口幅よりも小さい寸法とされている。
【００３１】
次に、本実施形態の作用を説明する。
【００３２】
本実施形態の圧接コネクタＣは、まず、カバー１０、上段ハウジング２０及び下段ハウジング３０を分離した状態で、圧接装置のレール５０Ｆ，５０Ｒに、複数の上段ハウジング２０と複数の下段ハウジング３０を交互に並ぶように且つ隣り合う外壁２２，３２同士が密着するように載置する。このとき、前側の上段摺接面２７Ｆと下段摺接面３７Ｆが前側のレール５０Ｆの上面に当接するとともに、後側の上段摺接面２７Ｒと下段摺接面３７Ｒが後側のレール５０Ｒの上面に当接し、前後両レール５０Ｆ，５０Ｒの間に第２位置決め突起２５と第３位置決め突起３５が位置する。また、下段ハウジング３０の下面の補強部３８は、後側のレール５０Ｒよりも後方にずれて位置する。
【００３３】
この状態で、全てのハウジング２０，３０をレール５０Ｆ，５０Ｒの長さ方向に沿って一方向へ一斉に間欠的移動させる。この間、各ハウジング２０，３０のキャビティ２１，３１には端子金具４０が順次に収容され、圧接治具５１の下方で停止したハウジング２０，３０に収容されている複数の端子金具４０に対して電線４２が一斉に圧接される。圧接に際しては、各端子金具４０の圧接刃４１に電線４２が上から供給され、その後、圧接治具５１が下降してその複数の押し込み突起５２が電線４２を圧接刃４１内に一斉に押し込む。圧接が済んだら、圧接治具５１が上昇し、その後、全てのハウジング２０，３０が一斉に所定距離だけ移動する。この移動距離は、圧接治具５１によって圧接された複数の端子金具４０の数に端子金具４０の並列ピッチを乗じた寸法となっている。
【００３４】
また、１つの圧接治具５１に形成されている押し込み突起５２の数は１つのハウジング２０，３０に形成されているキャビティ２１，３１の数よりも少ないため、１つの圧接治具５１が隣接する２つのハウジング２０，３０の間に跨るように位置する場合がある。この場合は、図１０に示すように、圧接治具５１が電線４２を端子金具４０の圧接刃４１内に押し込むときに、圧接治具５１の複数の押し込み突起５２のうち隣接するハウジング２０，３０の外壁２２，３２と対応する２つの押し込み突起５２が、隣接する２つの外壁２２，３２に形成されている凹部２４，３４内に進入する。これによって、押し込み突起５２と外壁２２，３２との干渉が回避されるため、圧接治具５１が２つのハウジング２０，３０に跨って位置しても、圧接の動作に支障を来たすことはない。
【００３５】
端子金具４０に対する電線４２の圧接が済んだハウジング２０，３０は、レール５０Ｆ，５０Ｒから外され、圧接コネクタＣの組付け工程へ移行する。組立てに際しては、カバー１０と上段ハウジング２０と下段ハウジング３０を上下に重ね、保持片１３を外側へ弾性撓みさせつつ各保持溝１４，１５に保持突起２３，３３を嵌合させるとともに、各凹部２４，３４に位置決め突起１６，２５を嵌合させる。組付けが完了した状態では、各押さえ突起１１，２６がその下方で対応するキャビティ２１，３１内に進入し、そのキャビティ２１，３１内の端子金具４０の前端部を上から押さえ付けて浮き上がりを規制する。
【００３６】
上述のように本実施形態においては、ハウジング２０，３０を間欠移動させる手段として、ハウジング２０，３０の下面に形成した摺接面２７Ｆ，２７Ｒ，３７Ｆ，３７Ｒを圧接装置に設けたレール５０Ｆ，５０Ｒ上で摺接させるようにしている。したがって、ハウジングの大きさに合わせた位置決め部を有するパレットを用いてハウジングを送る場合にはハウジングの大きさが異なってたときにパレットを変更する必要があるのに対し、本実施形態では、ハウジング２０，３０の大きさ（端子金具４０の並列数）が異なってもレール５０Ｆ，５０Ｒを変更する必要がなく、パレットを用いる場合に比べて設備コストを低減することができる。
【００３７】
また、レール５０Ｆ，５０Ｒ上で２つのハウジング２０，３０がその外壁２２，３２同士を当接させて並んだ状態において、双方のハウジング２０，３０の外壁２２，３２を挟んで隣り合う２つの端子金具４０間のピッチが、各ハウジング２０，３０における端子金具４０の並列ピッチの３倍（整数倍）の寸法とされている。これにより、１つの圧接治具５１を用いて複数の端子金具４０に対して一斉に圧接を行う場合に、圧接治具５１が２つのハウジング２０，３０の間に跨った状態でも圧接することが可能となり、１つの圧接治具５１による圧接数と１つのハウジング２０，３０における端子金具４０の並列数とが一致しなくても、複数のハウジング２０，３０を連続的に連ねた状態で間欠移動させつつ効率良く圧接を行うことができる。
【００３８】
しかも、外壁２２，３２には、圧接治具５１に端子金具４０と同一ピッチで形成されている押し込み突起５２との干渉を回避することを可能とする凹部２４，３４が形成されているので、外壁２２，３２の厚さ（幅）を大きくし、外壁２２，３２の強度を高めることができる。
【００３９】
また、下段ハウジング３０の下面におけるレール５０Ｆ，５０Ｒと非対応の領域（摺接面３７Ｆ，３７Ｒ以外の領域）にはリブ状の補強部３８が突出して形成されているので、下段ハウジング３０が薄板状をなしていても、レール５０Ｆ，５０Ｒによるスライド動作に支障を来たすことなく、下段ハウジング３０の強度が高められている。
【００４０】
＜他の実施形態＞
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
【００４１】
（１）上記実施形態ではレール上で２つのハウジングがその外壁同士を当接させて並んだ状態において、双方のハウジングの外壁を挟んで隣り合う２つの端子金具間のピッチが、各ハウジングにおける端子金具の並列ピッチの３倍の寸法とされているが、本発明によれば、外壁を挟んで隣り合う２つの端子金具間のピッチを、各ハウジングにおける端子金具の並列ピッチと同じ寸法又は並列ピッチの２倍若しくは４倍以上の整数倍の寸法としてもよく、また、整数倍以外の寸法としてもよい。
【００４２】
（２）上記実施形態では外壁に凹部を形成したが、本発明によれば、このように凹部を形成しない構成としてもよい。この場合、圧接治具が２つのハウジングの間に跨らないようにすればよい。
【００４３】
（３）上記実施形態ではハウジングの下面に強度アップ用のリブを形成したが、本発明によれば、このようにリブを形成しない構成としてもよい。
【図面の簡単な説明】
【００４４】
【図１】コネクタハウジングを分離した状態の斜視図
【図２】コネクタハウジングを分離した状態の背面図
【図３】コネクタハウジングを組み付けた状態の横断面図
【図４】上段ハウジングをレールに載置した状態の側面図
【図５】上段ハウジングをレールに載置した状態の縦断面図
【図６】上段ハウジング内の端子金具に電線を圧接している状態をあわらす縦断面図
【図７】下段ハウジング内の端子金具に電線を圧接している状態をあわらす縦断面図
【図８】上段ハウジングと下段ハウジングをレール上に並べて載置した状態をあらわす平面図
【図９】上段ハウジングと下段ハウジングを並べて配置した状態をあらわす横断面図
【図１０】図９の部分拡大図
【符号の説明】
【００４５】
Ｃ…圧接コネクタ
２０…上段ハウジング
２２，３２…外壁
２４…上段凹部
２７Ｆ，２７Ｒ…上段摺接面
３０…下段ハウジング
３４…下段凹部
３７Ｆ，３７Ｒ…下段摺接面
３８…補強部
４０…端子金具
５０Ｆ，５０Ｒ…レール
５１…圧接治具
５２…押し込み突起
【図１】
2005158444.tif 000003
【図２】
2005158444.tif 000004
【図３】
2005158444.tif 000005
【図４】
2005158444.tif 000006
【図５】
2005158444.tif 000007
【図６】
2005158444.tif 000008
【図７】
2005158444.tif 000009
【図８】
2005158444.tif 000010
【図９】
2005158444.tif 000011
【図１０】
2005158444.tif 000012